(57)【要約】  摩擦的に除毛する微小柱状シェービングエレメントにおいて、基体はそこから外側に突出する複数の連続昇部を定める。それぞれの昇部は、少なくとも一つの毛当接面を定め、摩耗表面を定めるアレイ状に基体上に配置される。シェービング操作中に、摩耗表面がユーザの肌上を引かれるので、それぞれの昇部が連続的に前記ユーザの肌から延びた毛を摩耗し、シェービング操作の完了後に摩滅した毛の端部を残し、それによりスムースなシェービングの手触りを達成する。
2006520210.tif 000002
【特許請求の範囲】
【請求項１】
基体と、
前記基体から外側に突出され、それぞれ少なくとも一つの毛当接面を定める複数の連続昇部と、
を有し、
前記昇部が、摩耗表面を画定するように、アレイ状に前記基体上に配置され、
シェービング操作中に、前記摩耗表面がユーザの肌にわたって引かれ、それぞれの昇部が前記ユーザの肌から延びた毛を連続的に摩耗し、前記シェービング操作が完了した後に摩滅した前記毛の端部を残し、それによりスムースなシェービングの手触りを達成する、摩耗的除毛用微小柱状シェービングエレメント。
【請求項２】
前記微小柱状シェービングエレメントが樹脂材料で形成された請求項１記載の微小柱状シェービングエレメント。
【請求項３】
前記樹脂材料が熱可塑性である請求項２記載の微小柱状シェービングエレメント。
【請求項４】
前記樹脂材料が熱硬化材料である請求項２記載の微小柱状シェービングエレメント。
【請求項５】
前記シェービングエレメントが積層体で形成された請求項１記載の微小柱状シェービングエレメント。
【請求項６】
前記シェービングエレメントが可撓性である請求項１記載の微小柱状シェービングエレメント。
【請求項７】
それぞれの前記連続昇部が四面体である請求項１記載の微小柱状シェービングエレメント。
【請求項８】
それぞれの前記連続昇部が六角形である請求項１記載の微小柱状シェービングエレメント。
【請求項９】
それぞれの前記連続昇部が矩形である請求項１記載の微小柱状シェービングエレメント。
【請求項１０】
レザーハンドルと着脱可能に結合する部分を有するハウジングと、
前記ハウジングと結合し、外側に突出した複数の連続昇部を有する外向表面を画定する摩耗ストリップと、
を有し、
それぞれの前記連続昇部が少なくとも一つの毛当接面を定め、前記連続昇部が摩耗表面を共同で定め、それにより
シェービング操作中に、前記シェービングカートリッジがユーザの肌にわたって引かれ、前記摩耗表面が前記ユーザの肌から突出したすべての毛と接触し、それぞれの微小柱状エレメントが除毛部分を摩耗し、摩滅し端部を残し、それにより精密なシェービングの手触りを生じる、使い捨てシェービングカートリッジ。
【請求項１１】
前記摩耗ストリップが可撓性である請求項１０記載の使い捨てシェービングカートリッジ。
【請求項１２】
前記摩耗ストリップが樹脂である請求項１０記載の使い捨てシェービングカートリッジ。
【発明の詳細な説明】
【技術分野】
【０００１】
本発明は概してシェービング器具に向けられたものであり、特に除毛方法として摩耗を使用するシェービング面に関する。
【背景技術】
【０００２】
本願は、２０００年７月２８日出願のマルチミクロブレード除毛デバイス及び製造方法と題する米国出願第０９／６２６，１９３号の一部継続出願であり、この出願の譲受人に譲り受けられたものであり、この開示内容を参照によりすべてここに組み込む。
【０００３】
歴史的に、シェービングを介する除毛は、レザーブレードと一般に呼ばれる極めて鋭いブレードを用いて行われる。ブレードは、通常何らかの方法でハンドルに取り付けられたハウジング内に保持される。シェービング操作中、レザーブレードの先鋭なエッジがユーザの肌を横切って引かれて、肌の表面にできるだけ近づいて毛をカットする。シェービングの精密性は、どのようにして肌に近づいてブレードが肌から突出した毛をカットすることができるかに大きく依存する。より精密なシェービングを達成するために、同じ肌のエリアにわたって多数のパスで毛を連続してカットし、それぞれ肌から突出した毛の量を少なくする。あるいは、マルチブレードがハウジング内に収容され、一回のパスで複数回毛がカットされる。しかしながら、特定のエリアにわたってパスの回数が多くなればなるほどレザーブレードによりカットされる可能性が高くなる。
【０００４】
ブレードを使用した従来のレザーの使用に関する別の欠点は、これらのブレードを使用するシェービング器具の製造業者側で起こる。きわめて鋭いカッティングエッジのために、取り扱いの困難さが生じる。さらに、これらのブレードの大量生産は、かなりの設備を必要とし、より多くの費用やコストにつながるプロセス制御を必要とする。
【０００５】
さらに、レザーブレードを用いて毛をカットすると、カットされた毛の端部が僅かに鋭くなる傾向があり、精密なシェービングが実現されているけれども、シェービングした面を手でなでてみると、手触りがでこぼこになる。逆に、摩滅した毛の端部になると、よりソフトでより快適な手触りになる。
【０００６】
上記に基づいて、本発明の主な目的は、従来技術の問題や欠点を克服するシェービング面を提供することである。
【発明の開示】
【０００７】
本発明は、摩耗的に除毛する微小柱状シェービングエレメントの一つの態様に向けられる。微小柱状シェービングエレメントは、外側に突出する複数の連続昇部を有する基体を含む。連続昇部のそれぞれは、少なくとも一つの毛当接面を定める。好ましくは、昇部は、それらが協同して摩耗面を定めるように、基体上にアレイ状に配置される。したがって、シェービング器具がシェービング操作中に使用されると、摩耗面を定める連続昇部がユーザの肌から突出した毛に連続的に当接し、毛の部分を摩耗して除去し、シェービング操作の完了で摩滅した毛の端部を残す。この摩滅した毛の端部は、触感的にスムースであり、精密なシェービングの手触りを与える。
【０００８】
本発明はまた、上述した微小柱状シェービングエレメントが使い捨てレザーカートリッジの一部を形成するハウジングに組み込まれた、使い捨てシェービングカートリッジである。
【０００９】
さらに、本発明の別の実施の形態においては、微小柱状シェービングエレメントがハンドル及び微小柱状シェービングエレメントを移動するヘッドを有する使い捨てレザーに組み込まれる。
【００１０】
本発明の利点は、微小柱状シェービングエレメントが摩耗除毛メカニズムを使用し、それゆえに鋭いエッジを有するブレードを用いないことである。これは、シェービング操作中にユーザをカットする可能性を低減させる。さらに、製造及び組み立て中に、極めて鋭いエッジを操作することに関する取り扱いの問題を大いに改善する。
【発明を実施するための最良の形態】
【００１１】
図１から図３に示すように、参照番号１０で概して示された微小柱状シェービングエレメントは、基体１１と、基体１１から外側に突出した複数の連続昇部１２とを含む。複数の連続昇部１２は、互いに並列関係に位置合わせされ、参照番号１４で概して示された行列のアレイ状に配置される。連続昇部１２のアレイ１４により定められたピークと谷は、以下で十分に説明するように、シェービング操作中にユーザの肌から突出した毛を摩耗する役割を果たす摩耗表面を画定する。例示の実施の形態に示される連続昇部１２は四面体形状である。しかしながら、本発明はこれに限定されず、本発明の上位概念から逸脱することなしに、他の微小柱状形状が使用され得る。
【００１２】
好ましくは、微小柱状シェービングエレメント１０は、熱可塑性型又は熱硬化性型の樹脂材料で形成され、これに限定されないが、鋳造又はエンボス加工のような方法を用いて形成される。材料が可撓性である必要はない。この点において有用である２つの材料は、ポリイミド及びアクリル樹脂であるが、本発明はこれに限定されず、本発明が属する分野の当業者により知られている他の樹脂材料に置き換えられても良い。さらに、シェービングエレメント１０が形成される基体１０は、結合された同じ又は異なる材料の２つ又はそれ以上の積層体で構成しても良い。さらに、本発明は樹脂材料に限定されず、金属ストリップや金属箔のような他の材料も使用され得る。
【００１３】
図４から図５ａに示すように、連続昇部１２は、多くの様々な形態を取り得る。それらはまた、四面体、矩形、八面体、五角柱及び六角形でも良い。しかしながら、連続昇部のそれぞれは、シェービング操作中にユーザの毛と当接する少なくとも一つの表面１６を定める。
【００１４】
図３に戻って参照して、摩耗表面１４を構成する連続昇部１２は均一な断面である。しかしながら、本発明はこれに限定されず、連続昇部の断面がスタガ表面のように異なっていても良い。さらに、微小柱状シェービングエレメント１０は、背面に接着剤層（図示せず）を有しても良く、使い捨てレザーやレザーカートリッジのようなシェービング器具上に搭載されても良い。
【００１５】
図６を参照して、示された微小柱状シェービングエレメント１０は、参照番号２０で概して示される使い捨てレザーカートリッジの一部を形成するハウジング１８内に搭載される。使い捨てレザーカートリッジ２０は、レザーハンドル（図示せず）上に着脱自在に搭載される。
【００１６】
図７に示すように、微小柱状シェービングエレメント１０はまた、参照番号２２で概して示される使い捨てレザーの一部を形成しても良い。微小柱状シェービングエレメントは、接着又は既知の機械的手段を介してレザーに搭載され得る。
【００１７】
図６及び図７を参照して、シェービング操作中、微小柱状シェービングエレメント１０の摩耗表面は、ユーザの肌を横切って引かれる。摩耗表面は、接触するユーザの肌から突出したいかなる毛も摩耗する機能を発揮する。シェービング操作が完了すると、摩耗表面と接触した毛の端部は摩滅し、それにより精密シェービングの手触りを増大させる。
【００１８】
好ましい実施の形態が示され、説明されるが、本発明の精神及び範囲から逸脱することなく、種々の変形例や代替例がなし得る。したがって、本発明が例という目的で記述されており、これに限定されないように理解すべきである。
【図面の簡単な説明】
【００１９】
【図１】図１は、単一の連続昇部の平面図である。
【図２】図２は、図１の連続昇部の斜視図である。
【図３】図３は、シェービングエレメントを形成するようにアレイ状に配置された複数の連続昇部の平面図である。
【図４】図４は、図１の連続昇部の別の実施の形態の斜視図である。
【図４ａ】図４ａは、図４の連続昇部の斜視図である。
【図５】図５は、図１の連続昇部の斜視図である。
【図５ａ】図５ａは、図５の連続昇部の斜視図である。
【図６】図６は、ハウジング内に搭載された微小柱状シェービングエレメントを含む使い捨てレザーカートリッジの斜視図である。
【図７】図７は、カートリッジのハウジング内に搭載された微小柱状シェービングエレメントを含むカートリッジを有する使い捨てレザーの斜視図である。
【図１】
2006520210.tif 000003
【図２】
2006520210.tif 000004
【図３】
2006520210.tif 000005
【図４】
2006520210.tif 000006
【図４ａ】
2006520210.tif 000007
【図５】
2006520210.tif 000008
【図５ａ】
2006520210.tif 000009
【図６】
2006520210.tif 000010
【図７】
2006520210.tif 000011
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
基体と、
前記基体から外側に突出され、それぞれ少なくとも一つの毛当接面を定める複数の連続昇部と、
を有し、
前記昇部が、摩耗表面を画定するように、アレイ状に前記基体上に配置され、
シェービング操作中に、前記摩耗表面がユーザの肌にわたって引かれ、それぞれの昇部が前記ユーザの肌から延びた毛を連続的に摩耗し、前記シェービング操作が完了した後に摩滅した前記毛の端部を残し、それによりスムースなシェービングの手触りを達成する、摩耗的除毛用微小柱状シェービングエレメント。
【請求項２】
前記微小柱状シェービングエレメントが樹脂材料で形成された請求項１記載の微小柱状シェービングエレメント。
【請求項３】
前記樹脂材料が熱可塑性である請求項２記載の微小柱状シェービングエレメント。
【請求項４】
前記樹脂材料が熱硬化材料である請求項２記載の微小柱状シェービングエレメント。
【請求項５】
前記シェービングエレメントが積層体で形成された請求項１記載の微小柱状シェービングエレメント。
【請求項６】
前記シェービングエレメントが可撓性である請求項１記載の微小柱状シェービングエレメント。
【請求項７】
それぞれの前記連続昇部が四面体である請求項１記載の微小柱状シェービングエレメント。
【請求項８】
それぞれの前記連続昇部が六角形である請求項１記載の微小柱状シェービングエレメント。
【請求項９】
それぞれの前記連続昇部が矩形である請求項１記載の微小柱状シェービングエレメント。
【請求項１０】
レザーハンドルと着脱可能に結合する部分を有するハウジングと、
前記ハウジングと結合し、外側に突出した複数の連続昇部を有する外向表面を画定する複数の微小柱状エレメントを有する摩耗ストリップと、
を有し、
それぞれの前記連続昇部が少なくとも一つの毛当接面を定め、前記連続昇部が摩耗表面を共同で定め、それにより
シェービング操作中に、前記シェービングカートリッジがユーザの肌にわたって引かれ、前記摩耗表面が前記ユーザの肌から突出した毛と接触し、それぞれの微小柱状エレメントが除毛部分を摩耗し、摩滅した端部を残し、それにより精密なシェービングの手触りを生じる、使い捨てシェービングカートリッジ。
【請求項１１】
前記摩耗ストリップが可撓性である請求項１０記載の使い捨てシェービングカートリッジ。
【請求項１２】
前記摩耗ストリップが樹脂である請求項１０記載の使い捨てシェービングカートリッジ。
【請求項１３】
ハンドルと、
前記ハンドルに結合し、複数の微小柱状エレメントを有する摩耗ストリップであって、前記シェービングヘッドと結合し、外側に突出した複数の連続昇部を有する外向表面を画定する摩耗ストリップを含むシェービングヘッドとを含み、
それぞれの前記連続昇部が少なくとも一つの毛当接面を定め、前記連続昇部が摩耗表面を共同で定め、それによりシェービング操作中に、前記摩耗ストリップがユーザの肌にわたって引かれ、前記摩耗表面が前記ユーザの肌から突出した毛と接触し、それぞれの微小柱状エレメントが除毛部分を摩耗し、摩滅した端部を残し、それにより精密なシェービングの手触りを生じる、シェービング器具。
【請求項１４】
前記摩耗ストリップが樹脂材料である請求項１３記載のシェービング器具。
【請求項１５】
前記摩耗ストリップが可撓性である請求項１３記載のシェービング器具。